(57)【要約】【課題】多重する波長の光を増やして伝送容量を大きくした場合でも、小型で位置決め精度の高い光受信モジュールを提供する【解決手段】光受信モジュール１は、光ファイバが接続されるレセプタクル部１０と、受光素子と光学部品を収容するパッケージ部２０と、外部回路との電気接続を行う端子部２７と、波長多重化された異なる波長の複数の信号光を受光してそれぞれの信号光に分波する光分波器３０とを備えている。光分波器３０は複数の波長分離ブロック３１、３２を積層した一体の波長分離ブロック積層体を有しており、それぞれの波長分離ブロックは所定の波長帯域の信号光を分波するように構成されるとともに、各波長分離ブロックの光入射部側に形成された傾斜面に波長選択フィルタが設けられ、各波長分離ブロックで分波可能な波長帯域の光を取り込むようにしている。【選択図】図１
2015041059.tif 000002
【特許請求の範囲】
【請求項１】
波長が異なる複数の単一波長信号光が多重化された波長多重受信光を入射して、波長が異なる複数の前記単一波長信号光に分波して出射する光分波器を備え、波長が異なる複数の前記単一波長信号光それぞれを複数の電気信号に変換して出力する光受信モジュールであって、
前記光分波器は第１の波長分離ブロックと第２の波長分離ブロックを備え、
前記第１の波長分離ブロックは、前記複数の単一波長信号光の一部を含む第１の波長多重光を透過し、前記一部に含まれない第２の波長多重光を反射する第１のフィルタを有する第１の入射部と、前記第１の波長多重光を互いに波長の異なる前記複数の単一波長信号光に分離する複数の第１の波長選択フィルタを有する第１の出射部を備え、
前記第２の波長分離ブロックは、前記第２の波長多重光を反射する第２のフィルタを有する第２の入射部と、前記反射された第２の波長多重光を互いに波長の異なる前記複数の単一波長信号光に分離する複数の第２の波長選択フィルタを有する第２の出射部を備え、
前記第１の波長分離ブロックと前記第２の波長分離ブロックが積層されている、光受信モジュール。
【請求項２】
前記第１の入射部は前記第１のフィルタを搭載する第１の傾斜面を有し、前記第２の入射部は前記第２のフィルタを搭載する第２の傾斜面を有する、請求項１に記載の光受信モジュール。
【請求項３】
前記第１の出射部は前記分離された第１の波長多重光に含まれるそれぞれの単一波長信号光を反射するミラーを搭載する第３の傾斜面を有し、前記第２の出射部は前記分離された第２の波長多重光に含まれるそれぞれの単一波長信号光を反射するミラーを搭載する第４の傾斜面を有している、請求項１、２に記載の光受信モジュール。
【請求項４】
前記光受信モジュールは、波長が異なる複数の前記単一波長信号光をそれぞれ受光する複数の受光素子を有し、
前記第１の出射部から出射した波長が異なる複数の単一波長信号光は、前記複数の受光素子の第１の群と光結合し、
前記第２の出射部から出射した波長が異なる複数の単一波長信号光は、前記複数の受光素子の第２の群と光結合する、請求項１〜３のいずれかに記載の光受信モジュール。
【請求項５】
前記第１の群の複数の受光素子と、前記第２の群の複数の受光素子はそれぞれ列状に配置されている、請求項４に記載の光受信モジュール。
【発明の詳細な説明】
【技術分野】
【０００１】
本発明は、光受信モジュールに関する。
【背景技術】
【０００２】
近年、ネットワーク上を流れる情報量の増加と通信速度の高速化が進んでいる。これに伴い、光伝送機器に搭載される光トランシーバ等に用いられる光送受信モジュールも高速化が進み、現在では４０Ｇｂｐｓや１００Ｇｂｐｓの伝送速度が要求されている。かかる高速の伝送速度は、単一の光デバイスでは追従することが難しく、波長多重による通信方法が用いられる。
【０００３】
波長多重方式を採用した光受信モジュールは、内蔵した光分波器（光ＤｅＭＵＸともいう）により波長多重化された異なる波長の複数の信号光を分波し、それぞれの受光素子で受光する。図８は従来の光分波器によって波長多重光が分波される様子を説明するための図である。光分波器３０’は透過波長が互いに異なる複数の薄膜フィルタＦ１〜Ｆ８と反射部Ｍを有する。
【０００４】
波長λ１〜λ８の異なる光が波長多重化された信号光は、まず光分波器３０’を構成する薄膜フィルタＦ１により、選択的にλ１の信号光のみが光分波器３０’を透過し、それ以外の波長λ２〜λ８をもつ信号光は反射する。波長λ２〜λ８が多重化されている信号光は、薄膜フィルタＦ１〜Ｆ８と対向する位置の反射部Ｍで反射しフィルタＦ２に入射する。次に、フィルタＦ２により選択的に波長λ２の信号光のみが光分波器３０’を透過し、それ以外の波長λ３〜λ８をもつ信号光は反射する。以降、薄膜フィルタＦ３〜Ｆ８と反射部Ｍとの間で透過と反射を繰り返しながら、波長多重化された信号光はそれぞれの波長ごとに分波される。
【０００５】
このような光分波方式を用いた光分波器３０’を用いて波長多重光を分波する場合、波長の異なる信号光の数が多くなるにしたがって、光分波器の幅が大きくなる。したがって、このような光分波器３０’を内蔵する光受信モジュールの小型化は困難となる。さらに、光分波器３０’に入射後最初に分波される波長λ１の信号光に比べて、光分波器３０’の内部で反射を繰り返して最後にフィルタで分波される波長λ８の信号光は、反射による光の減衰量が大きくなり、また、光分波器の出射側に設置される受光素子までの光路長に差が生じることから、信号光に品質差が生じることになる。
【０００６】
また、多くの波長を扱う場合、例えば、特許文献１に開示された光分波器のように、複数の光分波器を立体的に重ねることで空間的な集積度を上げることが知られている。しかしながら、特許文献１に開示された光分波器では、波長λ１〜λ４の波長多重光を分波する分波器を複数積層しただけであるため、より多くの波長の異なる光を多重化した波長多重光を扱う場合は、図８に示した光分波器と同様の問題が生じることになる。
【先行技術文献】
【特許文献】
【０００７】
【特許文献１】特開２００４−１３３１１４号公報
【発明の概要】
【発明が解決しようとする課題】
【０００８】
近年は、光通信の高速伝送の要求に答える一方で、光トランシーバの小型化への要求も強く、業界標準のＣＦＰ−ＭＳＡの外形を小さくしたＣＦＰ２、ＣＦＰ４、ＱＳＦＰ＋などの標準化が検討されている。この場合、光受信サブアセンブリ（ＴＯＳＡ：Transmitter Optical Sub-Assembly）または光送信サブアセンブリ（ＲＯＳＡ：Receiver Optical Sub-Assembly）に割り当てられる収容面積は縮小され、例えば、ＲＯＳＡは幅７ｍｍ以下のパッケージ内に、種々の光学部品等を収容する必要がある。また、ＲＯＳＡを構成する受光素子の出力は微弱で、周囲のノイズを受けやすいことから受光素子とその信号を増幅する前置増幅器（プリアンプ回路）も、同じパッケージ内に組み込み至近距離に配置することが望まれる。
【０００９】
そして、今後更なる光通信の高速伝送化が進むに伴い、多重化される信号光の波長の数は増加していくと予想される。しかしながら、上述したように従来の光分波器ではその幅が大きくなり小型化が困難となる。このため、光分波器を内蔵する光受信モジュールの小型化にも支障をきたすことになる。
【００１０】
本発明は、これらの実情に鑑みてなされたものであり、多重する波長の光を増やして伝送容量を大きくした場合でも、小型で位置決め精度の高い一体的な光受信モジュールを提供することをその目的とする。
【課題を解決するための手段】
【００１１】
本発明による光受信モジュールは、波長が異なる複数の単一波長信号光が多重化された波長多重受信光を入射して、波長が異なる複数の単一波長信号光に分波して出射する光分波器を備え、これら波長が異なる複数の単一波長信号光それぞれを複数の電気信号に変換して出力する光受信モジュールであって、この光分波器は第１の波長分離ブロックと第２の波長分離ブロックを備えており、この第１の波長分離ブロックは、複数の単一波長信号光の一部を含む第１の波長多重光を透過し、それ以外の単一波長信号光を含む第２の波長多重光を反射する第１のフィルタを備える第１の入射部と、第１の波長多重光を互いに波長が異なる複数の単一波長信号光に分離する複数の第１の波長選択フィルタを有する第１の出射部とを備え、第２の波長分離ブロックは、第２の波長多重光を反射する第２のフィルタを有する第２の入射部と、この反射された第２の波長多重光を互いに波長が異なる複数の単一波長信号光に分離する複数の第２の波長選択フィルタを有する第２の出射部を備えており、本発明に係る光分波器は、この第１の波長分離ブロックと第２の波長分離ブロックとが積層されているものである。
【発明の効果】
【００１２】
本発明によれば、多重する波長の光を増やして伝送容量を大きくした場合でも、光受信モジュールを小型で位置決め精度の高い一体的な構造のものとすることができる。
【図面の簡単な説明】
【００１３】
【図１】本発明による光受信モジュールの一例を側面から見た断面図である。
【図２】本発明の光受信モジュールにおける光分波器の一例を模式的に示す図である。
【図３】図２に示す光分波器の波長選択フィルタの光透過率を説明するための図である。
【図４】図２に示す光分波器の第１の波長分離ブロックよって波長多重光が分波される様子を説明するための図である。
【図５】図２に示す光分波器の第２の波長分離ブロックよって波長多重光が分波される様子を説明するための図である。
【図６】本発明の光受信モジュールにおける光分波器の他の例を模式的に示す図である。
【図７】本発明の光受信モジュールにおける光分波器のさらに他の例を模式的に示す図である。
【図８】従来の光分波器によって波長多重光が分波される様子を説明するための図である。
【発明を実施するための形態】
【００１４】
（本願発明の実施形態の説明）
最初に本願発明の実施形態を列記して説明する。
本願の光受信モジュールは、（１）波長が異なる複数の単一波長信号光が多重化された波長多重受信光を受光して、波長が異なる複数の単一波長信号光に分波して出力する光分波器を備え、波長が異なる複数の単一波長信号光それぞれを複数の電気信号に変換して出力する光受信モジュールである。この光分波器は、第１の波長分離ブロックと第２の波長分離ブロックを有している。そして、この第１の波長分離ブロックは、波長が異なる複数の単一波長信号光が多重化された第１の波長多重光を透過し、この第１の波長多重光とは波長が異なる複数の単一波長信号光が多重化された第２の波長多重光を反射する第１のフィルタを備える第１の入射部と、透過された第１の波長多重光を波長が異なる複数の単一波長信号光に分離する複数の第１の波長選択フィルタを備える第１の出射部を有する。また、第２の波長分離ブロックは、第２の波長多重光を反射する第２のフィルタを備える第２の入射部と、この反射された第２の波長多重光を波長が異なる複数の単一波長信号光に分離する複数の第２の波長選択フィルタを備えた第２の出射部を有する。そして、本発明に係る光分波器は、第１の波長分離ブロックと第２の波長分離ブロックとが積層されているものである。本願の光受信モジュールは、それぞれ所定の波長帯域の波長多重光を分波する波長分離ブロックを複数一体的に積層していることから、多重する波長の光を増やして伝送容量を大きくした場合でも、小型で位置決め精度の高い一体的な光受信モジュールを構成することができ、取り扱いも容易になる。
【００１５】
（２）第１の入射部は、第１のフィルタを搭載する第１の傾斜面を有し、第２の入射部は、第２のフィルタを搭載する第２の傾斜面を有することが望ましく、これにより、位置決め精度の高い一体構造の波長分波器を構成することができる。
（３）第１の出射部は、分波された第１の波長多重光に含まれるそれぞれの単一波長信号光を反射するミラーを搭載する第３の傾斜面を有し、第２の出射部は、分波された第２の波長多重光に含まれるそれぞれの単一波長信号光を反射するミラーを搭載する第４の傾斜面を有することが望ましい。これにより、光受信モジュールのパッケージの底面上に受光素子を配置することが可能となる。
【００１６】
（４）光受信モジュールは、波長が異なる複数の前記単一波長信号光をそれぞれ受光する複数の受光素子を有し、第１の出射部から出射した波長が異なる複数の単一波長信号光は、複数の受光素子のうちの第１の群と光結合し、第２の出射部から出射した波長が異なる複数の単一波長信号光は、複数の受光素子のうちの第２の群と光結合することが望ましい。これにより、第１群の複数の受光素子と、第２群の複数の受光素子をそれぞれ列状に配置することが可能となる。これにより、各単一波長信号光を電気信号に変換する受光素子の構成が簡単になり、製作や取扱いが容易になる。
【００１７】
（本願発明の実施形態の詳細）
以下、図面を参照しながら、本発明の光分波器および光受信モジュールに係る好適な実施の形態について説明する。なお、本発明はこれらの例示に限定されるものではなく、特許請求の範囲によって示され、特許請求の範囲と均等の意味および範囲内ですべての変更が含まれることを意図する。また、以下の説明において、異なる図面においても同じ符号を付した構成は同様のものであるとして、その説明を省略する場合がある。
【００１８】
図１は、本発明による光受信モジュールの一例を側面から見た断面図である。光受信モジュール１は、光ファイバが接続されるレセプタクル部１０と、受光素子や光学部品等が収容されるパッケージ部２０と、外部回路との電気接続のための端子部２７を備えている。レセプタクル部１０は、例えば、光コネクタのフェルールが挿入されるスリーブ１８を保護するスリーブカバー１１と、パッケージ部２０との結合を形成するホルダ１４と、スリーブカバー１１とホルダ１４とを結合するためのジョイントスリーブ１３とから成る。
【００１９】
パッケージ部２０は、矩形状の箱型で形成され、例えば、金属製のパッケージ筺体２１、金属製のパッケージ底壁２２、および、パッケージ蓋体２８からなる収容部に、後述する受光素子や光学部品等を搭載して構成される。なお、パッケージ底壁２２は、銅モリブテンや銅タングステン等の材料を用いることができ、また、熱伝導性のよい材料を用いることにより放熱性を高めることができる。パッケージ蓋体２８は、搭載部品を収容して配線した後に内部を密封するために固定される。端子部２７は、例えば、複数のセラミック基板を積層して形成され、パッケージ筐体２１の後部側（レセプタクル部１０と反対側）に嵌め込まれる。端子部２７の露出端には電気接続を形成するための図示しない電極が形成されている。
【００２０】
ホルダ１４は、パッケージ筺体２１の前面側に設けたブッシュ１６を介してパッケージ部２０に固定される。ホルダ１４には、ジョイントスリーブ１３を介してスリーブカバー１１が結合され、ジョイントスリーブ１３により軸方向と径方向に対する調芯が行われる。スリーブカバー内には、光結合を形成するスタブ１２とスリーブ１８が配され、ホルダ１４にはスタブ１２の中心に保持されている結合ファイバから出射された信号光を集光して平行光にする第１のレンズ１５が配される。第１のレンズ１５からの信号光は、ブッシュ１６内に密封状態で設けられた光学窓１７を経て、パッケージ部１２内に出射される。
【００２１】
パッケージ部２０内には、パッケージ底壁２２に支持部材２３が実装されており、この支持部材２３に、第１のレンズ１５から出射された波長多重光を異なる波長の複数の信号光に分波する光分波器３０が実装されている。光分波器３０の詳細については後述するが、光分波器３０は複数の波長分離ブロック３１、３２を有しており、それぞれの波長分離ブロック３１、３２の出射部が支持部材２３から突出している。そして、光分波器３０で分波された複数の単一信号光（以下、「分波信号光」ともいう）は、後述するようにパッケージ底壁２２側に向かい、この分波信号光を集光する複数の第２のレンズ２４と、集光された分波信号光を受光する複数の受光素子２５がパッケージ底壁２２の上側に実装されている。
【００２２】
本実施形態においては、第１の波長分離ブロック３１によって分波された複数の単一波長信号光が受光素子２５の第１群の受光素子２５１と光結合し、第２の波長分離ブロック３２によって分波された複数の単一波長信号光が受光素子２５の第２群の受光素子２５２と光結合する。そして、第１群の受光素子２５１と第２群の受光素子２５２とは２列に配置されている。
【００２３】
すなわち、スタブ１２内の光ファイバから出射された信号光は、波長分離ブロック３１、３２の積層方向に対して交差する方向に入射され、光分波器３０によって分波された分波信号光は、波長分離ブロック３１、３２の積層方向と同じ方向に出射される。このため、第２のレンズ２４と受光素子２５は、パッケージ部２０内の上下方向、すなわち波長分離ブロック３１、３２の積層方向に対して重なって配列できることから、平面方向の配列スペースが軽減される。この結果、光分波器と第２のレンズと受光素子とを同じ平面上に搭載する構成と較べて、パッケージ部２０の部品搭載面積を実質的に増加させることができ、パッケージ部２０の外形寸法を大きくすることなく、受光素子２５に近接させてプリアンプ回路２６を搭載することが可能となる。このため、ノイズの影響を軽減することができる。
【００２４】
次に、本発明の光受信モジュールにおける光分波器の一例について説明する。図２は、本発明の光受信モジュールにおける光分波器の一例を模式的に示す図であり、図３は、図２に示す光分波器の波長選択フィルタの光学特性を説明するための図である。
【００２５】
図２に示す光分波器３０は、一例として、波長λ１〜λ８（λ１＜λ２＜λ３＜λ４＜λ５＜λ６＜λ７＜λ８）の異なる光が波長多重化された信号光を入射し、それぞれの波長の分波信号光を生成する光分波器の例を示している。光分波器３０は２つの波長分離ブロック３１、３２を積層した波長分離ブロック積層体を有している。それぞれの波長分離ブロック３１、３２は、図２（Ｂ）で示すように、側面から見た場合に台形状の断面を有している。ここで、最初に波長多重光が入射する波長分離ブロックが本発明の第１の波長分離ブロックに相当し、最後に波長多重光が入射する波長分離ブロックが本発明の第２の波長分離ブロックに相当する。このため、本実施形態では、１番目の波長分離ブロック３１が第１の波長分離ブロックとなり、２番目の波長分離ブロック３２が第２の波長分離ブロックとなる。
【００２６】
そして、後述するように第１の波長分離ブロック３１は所定の波長帯域の波長多重光として、波長λ１〜λ４の信号光を分波し、第２の波長分離ブロック３２は所定の波長帯域の波長多重光として、波長λ５〜λ８の信号光を分波する。また、最初に波長多重光が入射する第１の波長分離ブロック３１の入射部には波長多重光の入射方向に対して４５度、すなわち波長分離ブロック３１、３２の積層方向に対して４５度傾斜した傾斜面３１ａが形成されており、この傾斜面３１ａに波長選択フィルタが設けられている。
【００２７】
この波長選択フィルタは、図３（Ａ）で示すように、第１の波長分離ブロック３１が所定の波長帯域として分波可能な波長λ１〜λ４までの光のみを選択的に透過し、それ以外の波長の光を反射する特性を有している。したがって、波長λ１〜λ８の波長多重光のうち波長λ１〜λ４の信号光は第１の波長分離ブロック３１内に導かれ、それ以外の波長λ５〜λ８の信号光は波長分離ブロック３１、３２の積層方向の上方に向けて反射される。
【００２８】
次に、第２の波長分離ブロック３２の入射部には、第１の波長分離ブロック３１の入射部の傾斜面と同じ傾斜方向、すなわち、波長分離ブロック３１、３２の積層方向に対して４５度傾斜した傾斜面３２ａが形成されており、これらの傾斜面３１ａ、３２ａは波長分離ブロックの積層方向に対して重なっている。そして、この第２の波長分離ブロック３２の入射部側に設けた傾斜面３２ａには、波長選択フィルタが設けられている。この波長選択フィルタは、図３（Ｂ）で示すように、第２の波長分離ブロック３２が所定の波長帯域として分波可能な波長λ５〜λ８までの光のみを選択的に反射し、それ以外の光を透過するバンドパスフィルタの特性を有する。各波長分離ブロック３１、３２を実装するために、それぞれの波長分離ブロック３１、３２には図示しないマーカが設けられており、波長分離ブロック積層体はこのマーカにより位置決めされている。
【００２９】
第１の波長分離ブロック３１の波長選択フィルタによって反射された波長λ１〜λ４以外の信号光は、第２の波長分離ブロックの下面（第１の波長分離ブロック３１側）から入射した後、第２の波長分離ブロック３２の波長選択フィルタで反射されて、第２の波長分離ブロック３２内にその一部（λ５〜λ８の信号光）が入射する。このように、図２に示した光分波器３０では、複数の波長分離ブロックの入射部に設けた傾斜面に形成した波長選択フィルタにより、それぞれの波長分離ブロックで分波可能な波長帯域の信号光のみを取り込んでいる。なお、入射部とは、光分波器３０に対する波長多重光が入射される側に設けた構成を意味し、出射部とは、光分波器３０から分波された光が出射される側に設けた構成を意味するが、詳細については後述する。
【００３０】
上述の例では、第２の波長分離ブロック３２の傾斜面３２ａにはλ５〜λ８までの光のみを選択的に反射するバンドパスフィルタとしての波長選択フィルタを形成する例について説明したが、光分波器３０に入射する光がλ１〜λ８の信号光のみであり、第１の波長分離ブロック３１に形成した波長選択フィルタによって波長λ１〜λ４の信号光が充分に除去されている場合は、第２の波長分離ブロック３２の波長選択フィルタは波長λ１〜λ８の光を反射する特性のフィルタであってもよい。
【００３１】
すなわち、第１の波長分離ブロック３１の波長選択フィルタにおける波長λ１〜λ４の光に対する透過率が充分に大きい場合は、第１の波長分離ブロック３１の波長選択フィルタによって反射された光には波長λ１〜λ４の光が実質的に含まれていないと考えてよい。その場合、第１の波長分離ブロック３１よりも下流の第２の波長分離ブロック３２の波長選択フィルタは、第１の波長分離ブロック３１の波長分離ブロックで分波する波長帯域の光と自身の波長分離ブロック３２で分波する波長帯域の光を含む波長帯域の信号光全てを反射してもよい。さらに、本実施形態では、波長多重光が最後に入射する第２の波長分離ブロックについて、その入射部の傾斜面３２ａには、波長選択フィルタとしてすべての光を反射するミラーを設けてもよい。
【００３２】
次に、第１の波長分離ブロック３１の出射部には波長分離ブロックの積層方向に対して４５度傾斜した傾斜面３１ｂが形成されており、この傾斜面３１ｂにミラーが設けられている。そして、第１の波長分離ブロック３１に取り込まれた波長λ１〜λ４の信号光は、第１の波長分離ブロック３１の内部で波長λ１、λ２、λ３、λ４の分波信号光に分波され、それぞれの分波信号光は第１の波長分離ブロック３１の出射部に設けた傾斜面３１ｂに形成したミラーによってその光軸が９０°曲げられ、波長分離ブロックの積層方向の下方に向けて出射される。同様に、第２の波長分離ブロック３２の出射部にも波長分離ブロックの積層方向に対して４５度傾斜した傾斜面３２ｂが形成されており、この傾斜面３２ｂにミラーが設けられている。そして、第２の波長分離ブロック３２に取り込まれた波長λ５〜λ８の信号光は、第２の波長分離ブロック３２の内部で波長λ５、λ６、λ７、λ８の分波信号光に分波され、それぞれの分波信号光は第２の波長分離ブロック３２の出射部に設けた傾斜面３２ｂに形成したミラーによってその光軸が９０°曲げられ、波長分離ブロックの積層方向の下方に向けて出射される。
【００３３】
第１の波長分離ブロック３１の出射部の傾斜面３１ｂと第２の波長分離ブロック３２の出射部の傾斜面３２ｂとは、波長分離ブロックの積層方向についてオーバーラップせずに設けられている。すなわち、第１の波長分離ブロック３１と第２の波長分離ブロック３２とは、入射部から出射部までの長さが異なっている。このため、第１の波長分離ブロック３１および第２の波長分離ブロック３２から出射された分波信号光は、互いの出射部において交わることなく波長分離ブロックの積層方向の下方に対して出射される。
【００３４】
第１の波長分離ブロック３１および第２の波長分離ブロック３２は、それぞれ所定の波長多重光を分波する機能を有しているが、その構成について以下に説明する。図４は、図２に示す第１の波長分離ブロックよる波長多重光の分波を説明する図であり、図５は、第２の波長分離ブロックよる波長多重光の分波を説明する図である。
【００３５】
第１の波長分離ブロック３１は、図４（Ａ）で示すように、三角柱ブロック３１ｃ、台形状ブロック３１ｄ、四角形状ブロック３１ｆ、台形状ブロック３１ｈ、三角柱ブロック３１ｉと、台形状ブロック３１ｄと四角形状ブロック３１ｆの境界面に設けた反射部３１ｅ、および、四角形状ブロック３１ｆと台形状ブロック３１ｈの境界面に設けた薄膜フィルタ部３１ｇを有しており、これらが一体に構成されている。このため、波長分離ブロックは小型で精度が高くかつ取り扱いが容易である。
【００３６】
三角柱ブロック３１ｃは波長分離ブロック３１の入射部に設けられており、その一面が光入射方向に対して４５度傾斜した傾斜面３１ａとなっており、この傾斜面に先述した波長選択フィルタが設けられている。傾斜面３１ａが本発明の第１の傾斜面に相当し、傾斜面３１ａに設けた波長選択フィルタが本発明の第１のフィルタに相当する。なお、波長選択フィルタは傾斜面３１ａの全面にわたって設ける必要はなく、波長分離ブロック３１へ入射する光を受ける部分のみに設けてもよい。また、傾斜面３１ａを有する三角柱ブロック３１ｃについても、波長分離ブロック３１へ入射する光を受ける部分のみに設けてもよい。そして、第１の波長分離ブロック３１に入射した波長多重光（λ１〜λ８）は、この波長選択フィルタによって波長帯域λ１〜λ４の波長多重光のみが台形状ブロック３１ｄに向けて透過する。ここで、第１の波長分離ブロック３１に入射した波長多重光（λ１〜λ８）が本発明の波長多重受信光に相当し、波長選択フィルタによって透過された波長帯域λ１〜λ４の波長多重光が本発明の第１の波長多重光に相当する。
【００３７】
次に、波長帯域λ１〜λ４の波長多重光はまず薄膜フィルタ部３１ｇを構成する薄膜フィルタＦ１により、選択的にλ１の信号光のみが薄膜フィルタＦ１を透過し、それ以外の波長λ２〜λ４をもつ信号光は反射する。一方、薄膜フィルタＦ１を透過した波長λ１の分波信号光は、三角柱ブロック３１ｉの傾斜面３１ｂに設けたミラーによって反射され、波長分離ブロックの積層方向に出射される。ここで、傾斜面３１ｂが本発明の第３の傾斜面に相当する。また、波長λ２〜λ４を持つ信号光は、反射部３１ｅで反射して薄膜フィルタ部３１ｇのフィルタＦ２に入射する。波長λ２〜λ４を持つ信号光は、フィルタＦ２により選択的に波長λ２の信号光のみが薄膜フィルタＦ２を透過し、それ以外の波長λ３〜λ４をもつ信号光は反射する。
【００３８】
薄膜フィルタＦ２を透過した波長λ２の分波信号光は、傾斜面３１ｂに形成したミラーによって反射され、波長分離ブロックの積層方向に出射される。以降、同様に、薄膜フィルタ部３１ｇの薄膜フィルタＦ３〜Ｆ４と反射部３１ｅとの間で透過と反射を繰り返しながら、波長多重化された信号光はそれぞれの波長ごとに分波され、波長λ３、波長λ４の分波信号光が波長分離ブロックの積層方向に出射される。また、傾斜面３１ａに形成した波長選択フィルタによって反射した波長λ５〜λ８の波長多重光は、第２の波長分離ブロック３２に向かう。ここで、傾斜面３１ａに形成した波長選択フィルタによって反射した波長帯域λ５〜λ８の波長多重光が本発明の第２の波長多重光に相当する。
【００３９】
第２の波長分離ブロック３２は、図５で示すように、三角柱ブロック３２ｃ、台形状ブロック３２ｄ、四角形状ブロック３２ｆ、台形状ブロック３２ｈ、三角柱ブロック３２ｉと、台形状ブロック３２ｄと四角形状ブロック３２ｆの境界面に設けた反射部３２ｅ、および、四角形状ブロック３２ｆと台形状ブロック３２ｈの境界面に設けた薄膜フィルタ部３２ｇを有しており、これらが一体に構成されている。
【００４０】
そして、三角柱ブロック３２ｃは波長分離ブロック３２の入射部に設けられており、その一面が光入射方向に対して４５度傾斜した傾斜面３２ａとなっており、この傾斜面３２ａに先述した波長選択フィルタが設けられている。ここで、傾斜面３２ａが本発明の第２の傾斜面に相当し、傾斜面３２ａに設けた波長選択フィルタが本発明の第２のフィルタに相当する。なお、波長選択フィルタ３２ａは傾斜面全面にわたって設ける必要はなく、波長分離ブロック３２へ入射する光を受ける部分のみに設けてもよい。また、傾斜面３２ａを有する三角柱ブロック３２ｃも波長分離ブロック３２へ入射する光を受ける部分のみに設けてもよい。そして、第２の波長分離ブロック３２に入射した波長多重光（λ５〜λ８）は、傾斜面３２ａに形成した波長選択フィルタによって第２の波長分離ブロック３２に取り込まれる。第２の波長分離ブロック３２に取り込まれた波長λ５〜λ８を含む波長多重光の分波の仕組みについては、第１の波長分離ブロック３１と同様である。そして、薄膜フィルタ部３２ｇの各薄膜フィルタＦ５〜Ｆ８で分波された各単一波長信号光λ５〜λ８は、三角柱ブロック３２ｉの傾斜面３２ｂに設けたミラーによって反射され、波長分離ブロックの積層方向に出射される。ここで、三角柱ブロック３２ｉの傾斜面３２ｂが本発明の第４の傾斜面に相当する。
【００４１】
このように、本実施形態で説明した光分波器は、所定の波長帯域の波長多重光を分波する波長分離ブロックを複数一体的に積層した波長分離ブロック積層体を有しており、各波長分離ブロックの入射部に設けた波長選択フィルタによってそれぞれの波長分離ブロックに応じた波長帯域の信号光を取り込むようにしているため、小型で取り扱いが容易、かつ個々の光学部材を精度よく組み立てることができる。さらに、光分波器によって分波される分波信号光の光路長の差を小さくすることができる。
【００４２】
図６は、本発明の光分波器の他の例を模式的に示す図である。図６に示した光分波器３０１は一例として、波長λ１〜λ１２（λ１＜λ２＜λ３＜λ４＜λ５＜λ６＜λ７＜λ８＜λ９＜λ１０＜λ１１＜λ１２）の異なる光が波長多重化された信号光を受光し、それぞれの波長の分波信号光に分波する例を示している。光分波器３０１は３つの波長分離ブロック４１、４２、４３を積層した波長分離ブロック積層体を有している。そして、１番目の波長分離ブロック４１は、波長λ１からλ４の波長多重光を分波する機能を、２番目の波長分離ブロック４２は、波長λ５からλ８の波長多重光を分波する機能を、さらに、３番目の波長分離ブロック４３は、波長λ９からλ１２の波長多重光を分波する機能を有している。
【００４３】
また、各波長分離ブロックの入射部に設けた傾斜面４１ａ、４２ａ、４３ａには、各波長分離ブロックで分波可能な波長帯域の信号光を取り込めるように、波長選択フィルタあるいはミラーを設けている。具体的には、１番目の波長分離ブロック４１の傾斜面４１ａには、波長λ１〜λ４の信号光を透過し、それ以外の波長の光を反射する特性を有する波長選択フィルタを設けている。また、２番目の波長分離ブロック４２の傾斜面４２ａには、波長λ５〜λ８の信号光を反射し、それ以外の波長の光を透過する特性を有する波長選択フィルタ、あるいは、少なくとも波長λ５〜λ８の信号光と２番目の波長分離ブロックより上流側の１番目の波長分離ブロック４１によって分波される波長の信号光とを含む信号光（λ１〜λ８）を反射し、それ以外の波長の光を透過する特性を有する波長選択フィルタを設けている。さらに、３番目の波長分離ブロック４３の傾斜面４３ａには、少なくとも波長λ９〜λ１２の信号光を含む波長多重光を反射する波長選択フィルタを設けている。また、各波長分離ブロック４１、４２、４３の出射部に設けた傾斜面４１ｂ、４２ｂ、４３ｂには、それぞれミラーを設けている。
【００４４】
本実施形態では、最初に波長多重光を受光する１番目の波長分離ブロック４１が本発明の第１の波長分離ブロックに相当し、最後に波長多重光を受光する３番目の波長分離ブロック４３が本発明の第２の波長分離ブロックに相当する。また、波長λ１〜λ１２の異なる光が波長多重化された信号光が本発明の波長多重受信光に相当する。さらに、最初（１番目）の波長分離ブロック４１によって分波される波長λ１〜λ４の波長多重光が本発明の第１の波長多重光に相当し、最後（３番目）の波長分離ブロック４３によって分波される波長λ９〜λ１２の波長多重光が本発明の第２の波長多重光に相当する。
【００４５】
このように、波長分離ブロックを積層してそれぞれの波長分離ブロックで所定の波長帯域の信号光を分波する場合は、波長多重光がｎ番目に入射するｎ番目（ｎ≧２）の波長分離ブロックの入射部に、ｎ番目の波長分離ブロックによって分波される波長帯域の波長多重光のみを選択的に反射しかつそれ以外の波長帯域の波長多重光を透過する波長選択フィルタ、あるいは、少なくともｎ番目の波長分離ブロックによって分波される波長帯域の光を含み、さらにｎ番目の波長分離ブロックよりも上流側の波長分離ブロックで分波される波長多重光の一部または全部を含む波長帯域の光を選択的に反射し、かつそれ以外の波長帯域の光を透過する波長選択フィルタを設ければよい。図６に示す光分波器３０１は図２に示す光分波器３０に比べて、多重化される光の数が多いために、波長分離ブロックを３つ積層している点が異なるが、分波の仕組みについては同様であるのでその説明を省略する。
【００４６】
図７は、本発明の光分波器のさらに他の例を模式的に示す図である。図７に示した光分波器３０２は図６に示した光分波器３０１と同様に、波長λ１〜λ１２（λ１＜λ２＜λ３＜λ４＜７λ５＜λ６＜λ７＜λ８＜λ９＜λ１０＜λ１１＜λ１２）の異なる光が波長多重化された信号光を受光し、それぞれの波長の分波信号光に分波する光分波器の例を示している。光分波器３０２は３つの波長分離ブロック４１´、４２´、４３´を積層した波長分離ブロック積層体を有しており、その積層の順番が図６に示した光分波器３０１と異なっており、波長多重光が最初に入射される波長分離ブロック４１´が最上段に位置するように積層されている。
【００４７】
このため、各波長分離ブロック４１´、４２´、４３´の入射部に形成した傾斜面４１ａ´、４２ａ´、４３ａ´の傾きが図６で示した光分波器３０２の傾斜面４１ａ、４２ａ、４３ａと異なっている。光分波の仕組みについては、図７で示した光分波器３０２と図６で示した光分波器３０１とは同じであるので、その説明を省略する。なお、図７で示した光分波器３０２を光受信モジュールに組み込む場合は、その支持部材（図１では支持部材２３）を低くすることができる。
【００４８】
また、本実施形態では、最初に波長多重光を受光する１番目の波長分離ブロック４１’が本発明の第１の波長分離ブロックに相当し、最後に波長多重光を受光する３番目の波長分離ブロック４３’が本発明の第２の波長分離ブロックに相当する。また、波長λ１〜λ１２の異なる光が波長多重化された信号光が本発明の波長多重受信光に相当する。さらに、最初（１番目）の波長分離ブロック４１’によって分波される波長λ１〜λ４の波長多重光が本発明の第１の波長多重光に相当し、最後（３番目）の波長分離ブロック４３’によって分波される波長λ９〜λ１２の波長多重光が本発明の第２の波長多重光に相当する。
【符号の説明】
【００４９】
１…光受信モジュール、１０…レセプタクル部、１１…スリーブ、１２…スタブ、１３…ジョイントスリーブ、１４…ホルダ、１５…第１のレンズ、１６…ブッシュ、１７…光学窓、１８…スリーブ、２０…パッケージ部、２１…パッケージ筐体、２２…パッケージ底壁、２３…支持部材、２４…第２のレンズ、２５…受光素子、２６…プリアンプ回路、２７…端子部、２８…パッケージ蓋体、３０、３０’、３０１、３０２…光分波器、３１、３２、３３、４１、４２、４３、４１´、４２´、４３´…波長分離ブロック、３１ａ、３２ａ、３３ａ、４１ａ、４２ａ、４３ａ、４１ａ´、４２ａ´、４３ａ´…傾斜面、３１ｂ、３２ｂ、３３ｂ、４１ｂ、４２ｂ、４３ｂ…傾斜面、３１ｃ、３２ｃ、３１ｉ、３２ｉ…三角柱ブロック、３１ｄ、３２ｄ、３１ｈ、３２ｈ…台形状ブロック、３１ｅ、３２ｅ…反射部、３１ｆ、３２ｆ…四角形状ブロック、３１ｇ、３２ｇ…薄膜フィルタ部、３１ｊ…第１のガラスブロック、３２ｊ…第２のガラスブロック、３１ｋ…第３のガラスブロック、３２ｋ…第４のガラスブロック。
【図１】
2015041059.tif 000003
【図２】
2015041059.tif 000004
【図３】
2015041059.tif 000005
【図４】
2015041059.tif 000006
【図５】
2015041059.tif 000007
【図６】
2015041059.tif 000008
【図７】
2015041059.tif 000009
【図８】
2015041059.tif 000010